(57)【特許請求の範囲】
【請求項１】
ペーパーホルダ本体に保持され、長尺のシートがロール状に巻回された第１の家庭用薄葉紙を覆うペーパーホルダカバーであって、
積層された複数枚のシートが包装された第２の家庭用薄葉紙を収納する収納空間部と、
前記第１の家庭用薄葉紙及び前記第２の家庭用薄葉紙の各々のシートの取出口が形成された取出口形成部と、
前記ペーパーホルダ本体に取り付けられた前記第１の家庭用薄葉紙のシートが挿通される挿通部が形成されるとともに、前記収納空間部に配置された前記第２の家庭用薄葉紙を前記取出口形成部の取出口側に付勢する付勢部と、を備えていることを特徴とするペーパーホルダカバー。
【請求項２】
前記取出口形成部が取付け固定された支持部を更に備え、
前記付勢部は、
前記支持部に回動可能に吊り下げられるとともに、前記収納空間部に配置された前記第２の家庭用薄葉紙の前記取出口と反対側の部分に接触可能な接触部を有してなり、
前記接触部が自重により回動することで、前記収納空間部に配置された前記第２の家庭用薄葉紙に接触して当該第２の家庭用薄葉紙を前記取出口形成部の取出口側に付勢することを特徴とする請求項１に記載のペーパーホルダカバー。
【請求項３】
前記接触部には、前記ペーパーホルダ本体の前記第１の家庭用薄葉紙の芯が取付け可能な軸部に対して、前記挿通部が当該接触部の回動方向に重なる位置で、且つ、回動する当該接触部の挿通部の内側に軸部が配置されるような形状に形成されてなることを特徴とする請求項２に記載のペーパーホルダカバー。
【請求項４】
前記付勢部は、
前記収納空間部に配置された前記第２の家庭用薄葉紙の前記取出口と反対側の部分に接触可能な接触部と、
前記接触部を前記取出口形成部の取出口側に弾性的に付勢する弾性部と、を有してなることを特徴とする請求項１に記載のペーパーホルダカバー。
【請求項５】
前記取出口形成部が取付け固定された支持部を更に備え、
前記支持部には、前記取出口形成部に対して前記接触部が進退するようにスライド移動可能に取り付けられる溝部が形成されてなることを特徴とする請求項４に記載のペーパーホルダカバー。
【請求項６】
請求項１〜５の何れか一項に記載のペーパーホルダカバーと、
前記ペーパーホルダカバーが取り付けられる前記ペーパーホルダ本体と、を備えることを特徴とするペーパーホルダ。
【発明の詳細な説明】
【技術分野】
【０００１】
本発明は、例えば、キッチンペーパーなどの家庭用薄葉紙を保持するペーパーホルダ本体に用いられるペーパーホルダカバー及びペーパーホルダに関する。
【背景技術】
【０００２】
従来、使い捨てのキッチンペーパーなどの家庭用薄葉紙を保持するペーパーホルダが知られている（例えば、特許文献１参照）。
また、キッチンペーパーとしては、複数枚のシートが交互に重ねて積層されてフィルム包装されたもの（包装タイプ）や、所定の間隔でミシン目が形成された長尺のシートが芯にロール状に巻回されたもの（ロールタイプ）などがある。
【先行技術文献】
【特許文献】
【０００３】
【特許文献１】特開２０１３−３４８０３号公報
【発明の概要】
【発明が解決しようとする課題】
【０００４】
ところで、フィルム包装されたキッチンペーパーの場合、シート枚数が少なくなると取出口までの間隔が大きくなって当該取出口にシートが引っかかり難くなり、最終的にはシートが落ち込んで取り出し難くなるといった問題がある。さらに、上記特許文献１等では、ペーパーホルダが包装タイプとロールタイプの両方に対応した形状となっておらず、何れか一方のタイプの製品しか使用できないといった問題もある。
【０００５】
本発明は、このような問題に鑑みてなされたものであり、本発明の課題は、ロールタイプの家庭用薄葉紙を保持可能なペーパーホルダ本体を包装タイプの家庭用薄葉紙にも対応させることができるペーパーホルダカバー及びペーパーホルダを提供することである。
【課題を解決するための手段】
【０００６】
上記課題を解決するため、請求項１に記載の発明は、
ペーパーホルダ本体に保持され、長尺のシートがロール状に巻回された第１の家庭用薄葉紙を覆うペーパーホルダカバーであって、
積層された複数枚のシートが包装された第２の家庭用薄葉紙を収納する収納空間部と、
前記第１の家庭用薄葉紙及び前記第２の家庭用薄葉紙の各々のシートの取出口が形成された取出口形成部と、
前記ペーパーホルダ本体に取り付けられた前記第１の家庭用薄葉紙のシートが挿通される挿通部が形成されるとともに、前記収納空間部に配置された前記第２の家庭用薄葉紙を前記取出口形成部の取出口側に付勢する付勢部と、を備えていることを特徴としている。
【０００７】
請求項２に記載の発明は、請求項１に記載のペーパーホルダカバーにおいて、
前記取出口形成部が取付け固定された支持部を更に備え、
前記付勢部は、
前記支持部に回動可能に吊り下げられるとともに、前記収納空間部に配置された前記第２の家庭用薄葉紙の前記取出口と反対側の部分に接触可能な接触部を有してなり、
前記接触部が自重により回動することで、前記収納空間部に配置された前記第２の家庭用薄葉紙に接触して当該第２の家庭用薄葉紙を前記取出口形成部の取出口側に付勢することを特徴としている。
【０００８】
請求項３に記載の発明は、請求項２に記載のペーパーホルダカバーにおいて、
前記接触部には、前記ペーパーホルダ本体の前記第１の家庭用薄葉紙の芯が取付け可能な軸部に対して、前記挿通部が当該接触部の回動方向に重なる位置で、且つ、回動する当該接触部の挿通部の内側に軸部が配置されるような形状に形成されてなることを特徴としている。
【０００９】
請求項４に記載の発明は、請求項１に記載のペーパーホルダカバーにおいて、
前記付勢部は、
前記収納空間部に配置された前記第２の家庭用薄葉紙の前記取出口と反対側の部分に接触可能な接触部と、
前記接触部を前記取出口形成部の取出口側に弾性的に付勢する弾性部と、を有してなることを特徴としている。
【００１０】
請求項５に記載の発明は、請求項４に記載のペーパーホルダカバーにおいて、
前記取出口形成部が取付け固定された支持部を更に備え、
前記支持部には、前記取出口形成部に対して前記接触部が進退するようにスライド移動可能に取り付けられる溝部が形成されてなることを特徴としている。
【００１１】
請求項６に記載の発明は、
請求項１〜５の何れか一項に記載のペーパーホルダカバーと、
前記ペーパーホルダカバーが取り付けられる前記ペーパーホルダ本体と、を備えることを特徴としている。
【発明の効果】
【００１２】
本発明によれば、ロールタイプの家庭用薄葉紙を保持可能なペーパーホルダ本体を包装タイプの家庭用薄葉紙にも対応させることができる。
【図面の簡単な説明】
【００１３】
【図１】本発明を適用した実施形態１のペーパーホルダを示す斜視図である。
【図２】図１のペーパーホルダに家庭用薄葉紙を取り付けた状態を示す斜視図である。
【図３】図１のペーパーホルダの使用状態を説明するための図である。
【図４】本発明を適用した実施形態２のペーパーホルダを示す斜視図である。
【図５】図４のペーパーホルダの使用状態を説明するための図である。
【図６】本発明を適用した実施形態３のペーパーホルダを示す斜視図である。
【図７】図６のVII−VII線におけるペーパーホルダの断面図である。
【図８】図６のペーパーホルダの使用状態を説明するための図である。
【発明を実施するための形態】
【００１４】
以下に、本発明について、図面を用いて具体的な態様を説明する。ただし、発明の範囲は、図示例に限定されない。
なお、以下の説明では、ペーパーホルダカバー２の取出口２２１側を前側（使用者側）とするとともにその反対側を後側とし、ペーパーホルダ本体１の軸部１２の長手方向を上下方向とし、上下方向及び前後方向の双方に直交する方向を左右方向とする。
【００１５】
[実施形態１]
図１は、本発明を適用した実施形態１のペーパーホルダ１００を示す斜視図である。また、図２（ａ）は、ペーパーホルダ１００に包装タイプの家庭用薄葉紙Ｐ２を取り付けた状態を示す斜視図であり、図２（ｂ）は、ペーパーホルダ１００にロールタイプの家庭用薄葉紙Ｐ１を取り付けた状態を示す斜視図である。
実施形態１のペーパーホルダ１００は、ロールタイプの家庭用薄葉紙Ｐ１と包装タイプの家庭用薄葉紙Ｐ２の両方を保持可能に構成されている（図２（ａ）及び図２（ｂ）参照）。具体的には、図１〜図３に示すように、ペーパーホルダ１００は、ペーパーホルダ本体１と、このペーパーホルダ本体１に上側から覆うように取り付けられるペーパーホルダカバー２とを備えている。
【００１６】
ここで、家庭用薄葉紙Ｐは、例えば、キッチンペーパー、キッチンタオル、ペーパータオル、ティシュー等の紙製品が適用可能である。
また、ロールタイプの家庭用薄葉紙（第１の家庭用薄葉紙）Ｐ１は、例えば、図２（ｂ）に示すように、一定幅に形成された長尺のシートＳ１が円筒状のロール芯Ｃにロール状に巻回されて構成されている。長尺のシートＳ１は、所定の間隔毎に幅方向に延在する破断用のミシン目（図示略）が形成されていても良い。また、ロールタイプの家庭用薄葉紙Ｐ１の寸法は、例えば、巻径（ロール径）がφ100〜130[mm]で、幅（上下方向の長さ）が200〜300[mm]で、ロール芯径がφ35〜45[mm]であるが、一例であってこれに限られるものではない。
また、包装タイプの家庭用薄葉紙（第２の家庭用薄葉紙）Ｐ２は、例えば、図２（ａ）に示すように、複数枚のシートＳ２が交互に重ねて積層されたものが包装フィルムＦにより包装されて構成されている。包装フィルムＦの一面には、例えば、図示は省略するが、所定方向に延在する直線状のミシン目が設けられ、このミシン目が切り開かれることで当該包装フィルムＦの内側から取り出されるシートＳ２の挿通口が形成される。また、包装タイプの家庭用薄葉紙Ｐ２の寸法は、例えば、高さ（前後方向の長さ）が30〜110[mm]で、幅（上下方向の長さ）が200〜300[mm]で、奥行（左右方向の長さ）が60〜130[mm]であるが、一例であってこれに限られるものではない。
【００１７】
また、家庭用薄葉紙Ｐは、特に限定されず１プライ、または２プライ以上の複数プライのものとすることができる。家庭用薄葉紙Ｐには、適宜のエンボスが施されていてもよい。
また、本発明に係るキッチンペーパーは、例えば、ＪＩＳ Ｐ ８１２４（１９９８）に基づく１プライ当たりの米坪が10〜70[g/m２]とする。また、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｈ型」（尾崎製作所製）を用いて測定し、150〜500[μm]とする。乾燥引張紙力はＪＩＳ  Ｐ  ８１１３に基づき、乾燥引張紙力（縦）が800〜3000[cN]、乾燥引張紙力（横）が400〜2000[cN]である。湿潤引張紙力はＪＩＳ  Ｐ  ８１３５に基づき、湿潤引張紙力（縦）が200〜1500[cN]、湿潤引張紙力（横）が100〜1000[cN]であり、伸び率（引張破断伸）が10〜40[％]のものである。なお、各引張紙力及び伸び率における試料は、25[mm]幅での測定値である。
【００１８】
ペーパーホルダ本体１は、基台部１１と、この基台部１１に取付け固定された軸部１２とを備えている。
【００１９】
基台部１１は、例えば、外形が扁平な直方体状に形成されている。また、基台部１１の寸法は、例えば、左右方向の長さが140〜170[mm]で、前後方向の長さが150〜210[mm]で、上下方向の長さが10〜20[mm]であるが、一例であってこれに限られるものではない。
【００２０】
軸部１２は、基台部１１の略中心よりわずかに後側の位置に取付け固定されている。また、軸部１２は、基台部１１の上面から上下方向に延在する略円柱状に形成されている。
また、軸部１２は、ロールタイプの家庭用薄葉紙Ｐ１のロール芯Ｃが取付け可能に形成されている。すなわち、軸部１２は、ロールタイプの家庭用薄葉紙Ｐ１のロール芯Ｃの内径よりも小さい外径を有している。そして、ペーパーホルダ本体１にロールタイプの家庭用薄葉紙Ｐ１を保持させる場合、軸部１２にロール芯Ｃを外嵌させるようになっている（図２（ｂ）参照）。
また、軸部１２の長手方向（上下方向）の長さは、例えば、少なくともロールタイプ及び包装タイプの家庭用薄葉紙Ｐ１、Ｐ２の各々のシートＳ１、Ｓ２の幅と略等しくなっている。具体的には、軸部１２の寸法は、例えば、外径がφ10〜30[mm]で、上下方向の長さが350〜400[mm]であるが、一例であってこれに限られるものではない。
【００２１】
ペーパーホルダカバー２は、例えば、外形が略直方体状に形成され、下側が開口した中空形状をなしている。具体的には、ペーパーホルダカバー２は、天面板部２１と、この天面板部（支持部）２１の前側の端部に取付け固定された前側板部２２と、天面板部２１の後側の端部に取付け固定された後側板部２３と、天面板部２１の左右両側の端部に取付け固定された左右の両側板部２４、２５とを備えている。そして、天面板部２１、前側板部２２、後側板部２３及び左右の両側板部２４、２５とが組み合わされることで、略直方体状の箱型に形成されている。また、天面板部２１の内側には、第１付勢部２６が取り付けられている。
なお、ペーパーホルダカバー２の寸法は、例えば、左右方向の長さが140〜170[mm]で、前後方向の長さが150〜210[mm]で、上下方向の長さが250〜350[mm]であるが、一例であってこれに限られるものではない。
【００２２】
天面板部２１には、ペーパーホルダ本体１の軸部１２が挿通される挿通孔２１１が形成されている。
挿通孔２１１は、天面板部２１の略中心よりわずかに後側の位置に設けられ、当該天面板部２１を上下方向に貫通して形成されている。そして、ペーパーホルダ本体１にペーパーホルダカバー２が取り付けられる際に、挿通孔２１１に軸部１２が挿通されることで、ペーパーホルダ本体１とペーパーホルダカバー２とが前後方向及び左右方向に位置決めされるようになっている（図２（ａ）及び図２（ｂ）参照）。
【００２３】
前側板部２２、後側板部２３及び左右の両側板部２４、２５は、例えば、下端の位置が略等しくなっており、ペーパーホルダ本体１にペーパーホルダカバー２が取り付けられた状態で、基台部１１の上面との間に隙間を形成しないようになっている。
【００２４】
また、前側板部２２は、例えば、正面視にて矩形状をなし、左右方向の略中央部に取出口２２１が形成されている。すなわち、前側板部２２は、ペーパーホルダ１００に保持されるロールタイプ及び包装タイプの家庭用薄葉紙Ｐ１、Ｐ２の各々のシートＳ１、Ｓ２の取出口２２１が形成された取出口形成部を構成している。
取出口２２１は、例えば、当該前側板部２２を前後方向に貫通して形成され、上下方向に長尺な矩形状をなす開口である。この取出口２２１の長手方向（上下方向）の長さは、例えば、ロールタイプ及び包装タイプの家庭用薄葉紙Ｐ１、Ｐ２の各々のシートＳ１、Ｓ２の幅と略等しいか、その幅よりも長くなっている。なお、取出口２２１の左右方向の幅は、少なくともシートの厚さよりも大きければ良いが、当該ペーパーホルダ１００に保持されたロールタイプの家庭用薄葉紙Ｐ１や包装タイプの家庭用薄葉紙Ｐ２のシートＳ１、Ｓ２を引き出す際に取出口２２１の内側に指先が挿入可能な程度の幅を有しているのが好ましい。
具体的には、取出口２２１の寸法は、例えば、左右方向の長さが10〜20[mm]で、上下方向の長さが210〜310[mm]であるが、一例であってこれに限られるものではない。
【００２５】
また、天面板部２１の内側に取り付けられた第１付勢部２６の第１接触板部２６１（後述）によりペーパーホルダカバー２の内側空間が第１収納空間部Ｒ１と第２収納空間部Ｒ２とに仕切られている（図２（ａ）及び図２（ｂ）等参照）。
【００２６】
第１収納空間部Ｒ１は、ペーパーホルダカバー２の内側の後側に設けられ、ロールタイプの家庭用薄葉紙Ｐ１を収納する空間を構成している。また、第２収納空間部Ｒ２は、ペーパーホルダカバー２の内側の前側に設けられ、包装タイプの家庭用薄葉紙Ｐ２を収納する空間を構成している。
すなわち、例えば、天面板部２１の挿通孔２１１に軸部１２を挿入するようにしてペーパーホルダ本体１に上側からペーパーホルダカバー２が取り付けられる。このとき、ペーパーホルダカバー２の内側空間の第１接触板部２６１よりも後側の部分により第１収納空間部Ｒ１が構成され、例えば、軸部１２にロールタイプの家庭用薄葉紙Ｐ１のロール芯Ｃを外嵌させるようにして当該家庭用薄葉紙Ｐ１がペーパーホルダ本体１に取り付けられることで、第１収納空間部Ｒ１にロールタイプの家庭用薄葉紙Ｐ１が収納された状態となる（図２（ｂ）参照）。また、ペーパーホルダカバー２の内側空間の第１接触板部２６１よりも前側の部分により第２収納空間部Ｒ２が構成され、例えば、前側板部２２と第１接触板部２６１との間に配置されるように包装タイプの家庭用薄葉紙Ｐ２が配設されることで、第２収納空間部Ｒ２に包装タイプの家庭用薄葉紙Ｐ２が収納された状態となる（図２（ａ）参照）。
【００２７】
第１付勢部２６は、第２収納空間部Ｒ２に配置された包装タイプの家庭用薄葉紙Ｐ２を取出口２２１側に付勢するものである。具体的には、第１付勢部２６は、天面板部２１の内面の前寄りの位置に回動可能に吊り下げられた第１接触板部２６１を有している。
第１接触板部２６１は、その上端部が天面板部２１の内面に左右方向の軸を中心として回動自在に軸着されている。また、第１接触板部２６１は、第２収納空間部Ｒ２に配置された包装タイプの家庭用薄葉紙Ｐ２の取出口２２１と反対側の部分、すなわち、包装フィルムＦの挿通口と反対側となる後端部に接触可能となっている。そして、第１接触板部２６１が自重により前側に回動することで、第２収納空間部Ｒ２に配置された包装タイプの家庭用薄葉紙Ｐ２の取出口２２１と反対側の部分に接触して当該家庭用薄葉紙Ｐ２を取出口２２１側に付勢する。
【００２８】
また、第１接触板部２６１には、ペーパーホルダ本体１に取り付けられたロールタイプの家庭用薄葉紙Ｐ１のシートＳ１が挿通される第１挿通部２６１ａが形成されている。
第１挿通部２６１ａは、例えば、第１接触板部２６１の左右方向の略中央部の下端から上側に略等しい幅で切り欠かれることで上下方向に長尺に形成され、第１接触板部２６１が正面視にて門形状をなしている。すなわち、第１接触板部２６１には、ペーパーホルダ本体１のロールタイプの家庭用薄葉紙Ｐ１のロール芯Ｃが取付け可能な軸部１２に対して、第１挿通部２６１ａが当該第１接触板部２６１の回動方向に重なる位置に形成されている。また、第１挿通部２６１ａの左右方向の幅は、ペーパーホルダ本体１の軸部１２の径よりも大きくなっており、第１接触板部２６１を後側に回動させた場合に第１挿通部２６１ａの内側に軸部１２が配置されるようになっている。
また、第１挿通部２６１ａの長手方向（上下方向）の長さは、例えば、ロールタイプ及び包装タイプの家庭用薄葉紙Ｐ１、Ｐ２の各々のシートＳ１、Ｓ２の幅と略等しいか、その幅よりも長くなっている。
なお、第１挿通部２６１ａの寸法は、例えば、左右方向の長さが15〜40[mm]で、上下方向の長さが200〜300[mm]であるが、一例であってこれに限られるものではない。
【００２９】
次に、ペーパーホルダ１００の使用状態について、図３（ａ）〜図３（ｄ）を参照して説明する。
図３（ａ）及び図３（ｂ）は、ペーパーホルダ１００に包装タイプの家庭用薄葉紙Ｐ２が保持された場合の使用状態を説明するための図であり、図３（ｃ）及び図３（ｄ）は、ペーパーホルダ１００にロールタイプの家庭用薄葉紙Ｐ１が保持された場合の使用状態を説明するための図である。なお、図３（ａ）〜図３（ｄ）の各図は、ペーパーホルダ１００の左右方向の略中央部を前後方向に通る直線に沿って切断した状態を示す模式的な断面図である。
【００３０】
＜包装タイプの家庭用薄葉紙の場合＞
例えば、使用開始時等にて、包装フィルムＦの内側にシートＳ２が大量に存し家庭用薄葉紙Ｐ２の前後方向の長さが長い場合、前側板部２２の取出口２２１との間隔がより大きくなるように第１接触板部２６１を後側に回動させ、前側板部２２と第１接触板部２６１との間の第２収納空間部Ｒ２に包装タイプの家庭用薄葉紙Ｐ２を配設する。そして、天面板部２１の挿通孔２１１に軸部１２を挿入するようにしてペーパーホルダ本体１に上側からペーパーホルダカバー２が取り付けられる。このとき、後側に回動した第１接触板部２６１の第１挿通部２６１ａの内側に軸部１２が配置される。これにより、当該家庭用薄葉紙Ｐ２がペーパーホルダ１００に保持され、挿通口を通ったシートＳ２が前側板部２２の取出口２２１を介して引き出される（図３（ａ）参照）。
ここで、第１接触板部２６１は自重により前側に回動するため、第２収納空間部Ｒ２に配置された包装タイプの家庭用薄葉紙Ｐ２の取出口２２１と反対側の部分に接触して当該家庭用薄葉紙Ｐ２を取出口２２１側に付勢する。これにより、家庭用薄葉紙Ｐ２は包装フィルムＦの挿通口側の面を前側板部２２の後面に接触させるように押圧された状態となる。
【００３１】
その後、包装フィルムＦの内側のシートＳ２が消費されて家庭用薄葉紙Ｐ２の前後方向の長さが短くなると、家庭用薄葉紙Ｐ２の前後方向の長さの変動に伴って第１接触板部２６１が前側板部２２の取出口２２１側に回動していくこととなる（図３（ｂ）参照）。これにより、家庭用薄葉紙Ｐ２は包装フィルムＦの挿通口側の面を前側板部２２の後面に接触させるように押圧される。
【００３２】
＜ロールタイプの家庭用薄葉紙の場合＞
軸部１２にロールタイプの家庭用薄葉紙Ｐ１のロール芯Ｃを外嵌させるようにして当該家庭用薄葉紙Ｐ１がペーパーホルダ本体１に取り付けられ、天面板部２１の挿通孔２１１に軸部１２を挿入するようにしてペーパーホルダ本体１に上側からペーパーホルダカバー２が取り付けられる。これにより、第１収納空間部Ｒ１にロールタイプの家庭用薄葉紙Ｐ１が配設され、長尺なシートＳ１の自由端側（先端側）が第１接触板部２６１の第１挿通部２６１ａ及び前側板部２２の取出口２２１を介して引き出される（図２（ｂ）参照）。
このとき、第１接触板部２６１は自重により回動可能となっているため、略上下方向に延在するように垂れ下がった状態となる。このため、例えば、使用開始時等にてロール芯ＣにシートＳ１が大量に巻かれて家庭用薄葉紙Ｐ１のロール径が大きい場合であっても（図３（ｃ）参照）、ロール芯Ｃに巻かれているシートＳ１が消費されて家庭用薄葉紙Ｐ１のロール径が小さくなった場合であっても（図３（ｄ）参照）、第１収納空間部Ｒ１に収納されたロールタイプの家庭用薄葉紙Ｐ１と第１接触板部２６１とが干渉することがない。
【００３３】
以上のように、実施形態１のペーパーホルダ１００によれば、第１付勢部２６は、ペーパーホルダ本体１に取り付けられたロールタイプの家庭用薄葉紙Ｐ１のシートＳ１が挿通される第１挿通部２６１ａが形成されるとともに、第２収納空間部Ｒ２に配置された包装タイプの家庭用薄葉紙Ｐ２を前側板部２２の取出口２２１側に付勢しているので、ロールタイプの家庭用薄葉紙Ｐ１の場合、第１付勢部２６が邪魔になることなく第１挿通部２６１ａ及び前側板部２２の取出口２２１を介してシートＳ１を引き出すことができ、一方、包装タイプの家庭用薄葉紙Ｐ２の場合、その前後方向の長さに拘わらず第１付勢部２６により前側板部２２の取出口２２１側に付勢されることとなり、使用者が第１付勢部２６と前側板部２２の取出口２２１との間隔を手動で調整するという煩雑な作業が必要なくなる。このように、ロールタイプの家庭用薄葉紙Ｐ１を保持可能なペーパーホルダ本体１を包装タイプの家庭用薄葉紙Ｐ２にも対応させることができる。
【００３４】
また、第１付勢部２６は、第１接触板部２６１が自重により回動することで、第２収納空間部Ｒ２に配置された包装タイプの家庭用薄葉紙Ｐ２に接触して当該家庭用薄葉紙Ｐ２を前側板部２２の取出口２２１側に付勢するので、簡略な構成で包装タイプの家庭用薄葉紙Ｐ２を前側板部２２の取出口２２１側に付勢することができる。
さらに、第１接触板部２６１には、ペーパーホルダ本体１のロールタイプの家庭用薄葉紙Ｐ１のロール芯Ｃが取付け可能な軸部１２に対して、第１挿通部２６１ａが当該第１接触板部２６１の回動方向に重なる位置で、且つ、回動する当該第１接触板部２６１の第１挿通部２６１ａの内側に軸部１２が配置されるような形状に形成されているので、例えば、包装フィルムＦの内側にシートＳ２が大量に存し家庭用薄葉紙Ｐ２の前後方向の長さが長い場合等に、前側板部２２の取出口２２１との間隔がより大きくなるように第１接触板部２６１を後側に回動させても、回動した第１接触板部２６１の第１挿通部２６１ａの内側に軸部１２を配置することができる。つまり、第２収納空間部Ｒ２に包装タイプの家庭用薄葉紙Ｐ２を収納する際に、軸部１２によって第１接触板部２６１の回動が妨げられることがなくなり、前後方向の長さの長い家庭用薄葉紙Ｐ２を第２収納空間部Ｒ２に適正に収納することができる。
【００３５】
[実施形態２]
次に、実施形態２のペーパーホルダ２００について図面を参照して説明する。
図４は、本発明を適用した実施形態２のペーパーホルダ２００を示す斜視図である。
なお、以下に説明する以外の点は、上記実施形態１のペーパーホルダ１００と略同様であるので、詳細な説明は省略する。
【００３６】
図４に示すように、実施形態２のペーパーホルダ２００のペーパーホルダカバー２０２は、第２接触板部２６２が取出口２２１側に弾性的に付勢された第２付勢部２２６を備えている。
すなわち、第２付勢部２２６は、第２収納空間部Ｒ２に配置された包装タイプの家庭用薄葉紙Ｐ２の取出口２２１と反対側の部分に接触可能な第２接触板部２６２と、この第２接触板部２６２を前側板部２２の取出口２２１側に弾性的に付勢する弾性部２７２と、を有している。
【００３７】
第２接触板部２６２は、例えば、正面視にて矩形状をなし、左右方向の略中央部にロールタイプの家庭用薄葉紙Ｐ１のシートＳ１が挿通される第２挿通部２６２ａが形成されている。
第２挿通部２６２ａは、上記実施形態１の第１挿通部２６１ａと略同様の構成である。具体的には、第２挿通部２６２ａは、例えば、第２接触板部２６２の左右方向の略中央部の下端から上側に略等しい幅で切り欠かれることで上下方向に長尺に形成され、第２接触板部２６２が正面視にて門形状をなしている。また、第２挿通部２６２ａは、前側板部２２の取出口２２１と前後方向に重なるように配置されている。
なお、第２挿通部２６２ａの寸法は、例えば、左右方向の長さが15〜40[mm]で、上下方向の長さが200〜300[mm]であるが、一例であってこれに限られるものではない。
【００３８】
弾性部２７２は、例えば、引張りコイルばねが適用され、第２接触板部２６２と前側板部２２とを繋ぐように配設されている。具体的には、弾性部２７２は、第２接触板部２６２及び前側板部２２の上下方向の略中央部にて左右両端側に一つずつ設けられている。また、各弾性部２７２は、一端部が第２接触板部２６２の前面に固定されるとともに、他端部が前側板部２２の後面に固定されている。これにより、第２接触板部２６２が弾性部２７２により前側板部２２の取出口２２１側に弾性的に常時付勢された状態となっている。
【００３９】
また、第２付勢部２２６の第２接触板部２６２によりペーパーホルダカバー２０２の内側空間が第１収納空間部Ｒ１と第２収納空間部Ｒ２とに仕切られている。
すなわち、例えば、天面板部２１の挿通孔２１１に軸部１２を挿入するようにしてペーパーホルダ本体１に上側からペーパーホルダカバー２０２が取り付けられる。このとき、ペーパーホルダカバー２０２の内側空間の第２接触板部２６２よりも後側の部分により第１収納空間部Ｒ１が構成され、例えば、軸部１２にロールタイプの家庭用薄葉紙Ｐ１のロール芯Ｃを外嵌させるようにして当該家庭用薄葉紙Ｐ１がペーパーホルダ本体１に取り付けられることで、第１収納空間部Ｒ１にロールタイプの家庭用薄葉紙Ｐ１が収納された状態となる。また、ペーパーホルダカバー２０２の内側空間の第２接触板部２６２よりも前側の部分により第２収納空間部Ｒ２が構成され、例えば、弾性部２７２による付勢力に抗して前側板部２２に対して第２接触板部２６２を離間させた状態で当該前側板部２２と第２接触板部２６２との間に包装タイプの家庭用薄葉紙Ｐ２が配設されることで、第２収納空間部Ｒ２に包装タイプの家庭用薄葉紙Ｐ２が収納された状態となる。
【００４０】
次に、ペーパーホルダ２００の使用状態について、図５（ａ）〜図５（ｄ）を参照して説明する。
図５（ａ）及び図５（ｂ）は、ペーパーホルダ２００に包装タイプの家庭用薄葉紙Ｐ２が保持された場合の使用状態を説明するための図であり、図５（ｃ）及び図５（ｄ）は、ペーパーホルダ２００にロールタイプの家庭用薄葉紙Ｐ１が保持された場合の使用状態を説明するための図である。なお、図５（ａ）〜図５（ｄ）の各図は、ペーパーホルダ２００の左右方向の略中央部を前後方向に通る直線に沿って切断した状態を示す模式的な断面図である。
【００４１】
＜包装タイプの家庭用薄葉紙の場合＞
例えば、使用開始時等にて、包装フィルムＦの内側にシートＳ２が大量に存し家庭用薄葉紙Ｐ２の前後方向の長さが長い場合、前側板部２２と第２接触板部２６２との間隔が大きくなるように前側板部２２に対して第２接触板部２６２を後側に移動（離間）させ、前側板部２２と第２接触板部２６２との間の第２収納空間部Ｒ２に包装タイプの家庭用薄葉紙Ｐ２を配設する。そして、天面板部２１の挿通孔２１１に軸部１２を挿入するようにしてペーパーホルダ本体１に上側からペーパーホルダカバー２０２が取り付けられる。これにより、当該家庭用薄葉紙Ｐ２がペーパーホルダ２００に保持され、挿通口を通ったシートＳ２が前側板部２２の取出口２２１を介して引き出される（図５（ａ）参照）。
この状態で、第２接触板部２６２が弾性部２７２により前側板部２２の取出口２２１側に付勢されているため、家庭用薄葉紙Ｐ２は包装フィルムＦの挿通口側の面を前側板部２２の後面に接触させるように押圧された状態となる。
【００４２】
その後、包装フィルムＦの内側のシートＳ２が消費されて家庭用薄葉紙Ｐ２の前後方向の長さが短くなっても、第２接触板部２６２が弾性部２７２により前側板部２２の取出口２２１側に付勢されているため、家庭用薄葉紙Ｐ２の前後方向の長さの変動に伴って第２接触板部２６２が前側板部２２の取出口２２１側に移動していき、家庭用薄葉紙Ｐ２は包装フィルムＦの挿通口側の面を前側板部２２の後面に接触させるように常時押圧されている（図５（ｂ）参照）。
【００４３】
＜ロールタイプの家庭用薄葉紙の場合＞
軸部１２にロールタイプの家庭用薄葉紙Ｐ１のロール芯Ｃを外嵌させるようにして当該家庭用薄葉紙Ｐ１がペーパーホルダ本体１に取り付けられ、天面板部２１の挿通孔２１１に軸部１２を挿入するようにしてペーパーホルダ本体１に上側からペーパーホルダカバー２０２が取り付けられる。これにより、第１収納空間部Ｒ１にロールタイプの家庭用薄葉紙Ｐ１が配設され、長尺なシートＳ１の自由端側（先端側）が第２接触板部２６２の第２挿通部２６２ａ及び前側板部２２の取出口２２１を介して引き出される。
このとき、第２接触板部２６２が弾性部２７２により前側板部２２の取出口２２１側に常時付勢されて、前側板部２２との間隔が小さく（後側板部２３との間隔が大きく）なっている。このため、例えば、使用開始時等にてロール芯ＣにシートＳ１が大量に巻かれて家庭用薄葉紙Ｐ１のロール径が大きい場合であっても（図５（ｃ）参照）、ロール芯Ｃに巻かれているシートＳ１が消費されて家庭用薄葉紙Ｐ１のロール径が小さくなった場合であっても（図５（ｄ）参照）、第１収納空間部Ｒ１に収納されたロールタイプの家庭用薄葉紙Ｐ１と第２接触板部２６２とが干渉することがない。
【００４４】
以上のように、実施形態２のペーパーホルダ２００によれば、上記実施形態１と同様に、ロールタイプの家庭用薄葉紙Ｐ１の場合、第２付勢部２２６が邪魔になることなく第２挿通部２６２ａ及び前側板部２２の取出口２２１を介してシートＳ１を引き出すことができ、一方、包装タイプの家庭用薄葉紙Ｐ２の場合、その前後方向の長さに拘わらず第２付勢部２２６により前側板部２２の取出口２２１側に付勢されることとなり、使用者が第２付勢部２２６と前側板部２２の取出口２２１との間隔を手動で調整するという煩雑な作業が必要なくなる。このように、ロールタイプの家庭用薄葉紙Ｐ１を保持可能なペーパーホルダ本体１を包装タイプの家庭用薄葉紙Ｐ２にも対応させることができる。さらに、第２接触板部２６２が弾性部２７２により前側板部２２の取出口２２１側に付勢されているため、家庭用薄葉紙Ｐ２は包装フィルムＦの挿通口側の面を前側板部２２の後面に接触させるように押圧された状態となり、包装タイプの家庭用薄葉紙Ｐ２の前側板部２２の取出口２２１側への付勢を適正に行うことができる。
【００４５】
[実施形態３]
次に、実施形態３のペーパーホルダ３００について図面を参照して説明する。
図６は、本発明を適用した実施形態３のペーパーホルダ３００を示す斜視図である。また、図７は、図６のVII−VII線におけるペーパーホルダ３００の断面図である。
なお、以下に説明する以外の点は、上記実施形態２のペーパーホルダ２００と略同様であるので、詳細な説明は省略する。
【００４６】
図６に示すように、実施形態３のペーパーホルダ３００のペーパーホルダカバー３０２は、第３付勢部３２６の第３接触板部２６３が前側板部２２に対して進退するようにスライド移動可能に構成されている。
【００４７】
第３付勢部３２６は、第２収納空間部Ｒ２に配置された包装タイプの家庭用薄葉紙Ｐ２の取出口２２１と反対側の部分に接触可能な第３接触板部２６３を有している。
第３接触板部２６３には、ペーパーホルダ本体１に取り付けられたロールタイプの家庭用薄葉紙Ｐ１のシートＳ１が挿通される第３挿通部２６３ａが形成されている。
第３挿通部２６３ａは、上記実施形態１の第１挿通部２６１ａと略同様の構成である。具体的には、第３挿通部２６３ａは、例えば、第３接触板部２６３の左右方向の略中央部の下端から上側に略等しい幅で切り欠かれることで上下方向に長尺に形成され、第３接触板部２６３が正面視にて門形状をなしている。また、第３挿通部２６３ａは、前側板部２２の取出口２２１と前後方向に重なるように配置されている。
なお、第３挿通部２６３ａの寸法は、例えば、左右方向の長さが15〜40[mm]で、上下方向の長さが200〜300[mm]であるが、一例であってこれに限られるものではない。
【００４８】
また、第３接触板部２６３の上端部には、例えば、天面板部２１の溝部２１２（後述）に係止される係止部２６３ｂが二つ設けられている（図７参照）。二つの係止部２６３ｂ、２６３ｂは、左右方向の両端部にそれぞれ形成され、上端部が左右方向に張り出した凸形状をなしている。
【００４９】
また、第３接触板部２６３は、弾性部２７２により前側板部２２の取出口２２１側に弾性的に付勢されている。
弾性部２７２は、第３接触板部２６３の二つの係止部２６３ｂ、２６３ｂの各々と前側板部２２とを繋ぐようにそれぞれ一つずつ配設されている。具体的には、各弾性部２７２は、一端部が第３接触板部２６３の係止部２６３ｂの前面に固定されるとともに、他端部が前側板部２２の後面に固定されている。これにより、第３接触板部２６３が弾性部２７２により前側板部２２の取出口２２１側に弾性的に常時付勢された状態となっている。
【００５０】
溝部２１２は、天面板部２１の内面の左右方向の両端部にそれぞれ形成されている。また、各溝部２１２は、例えば、図７に示すように、第３接触板部２６３の係止部２６３ｂの外形に対応させて、下側部２１２ａが上側部２１２ｂに対して幅狭な凹形状に形成されている。そして、溝部２１２に第３接触板部２６３の係止部２６３ｂが抜け止めされた状態で第３接触板部２６３が取り付けられるようになっている。
また、溝部２１２は、例えば、前後方向に延在するように直線状に形成されている。これにより、溝部２１２に取り付けられた第３接触板部２６３が前側板部２２に対して進退するように前後方向にスライド移動可能となっている。つまり、第３接触板部２６３が溝部２１２の延在方向に沿ってスライド移動することで、第３接触板部２６３と前側板部２２の取出口２２１との間隔が調整可能に構成されている。
また、溝部２１２の寸法は、例えば、下端開口の左右方向の長さが5〜10[mm]で、深さが5〜10[mm]であるが、一例であってこれに限られるものではない。
【００５１】
また、第３付勢部３２６の第３接触板部２６３によりペーパーホルダカバー３０２の内側空間が第１収納空間部Ｒ１と第２収納空間部Ｒ２とに仕切られている。
すなわち、例えば、天面板部２１の挿通孔２１１に軸部１２を挿入するようにしてペーパーホルダ本体１に上側からペーパーホルダカバー３０２が取り付けられる。このとき、ペーパーホルダカバー３０２の内側空間の第３接触板部２６３よりも後側の部分により第１収納空間部Ｒ１が構成され、例えば、軸部１２にロールタイプの家庭用薄葉紙Ｐ１のロール芯Ｃを外嵌させるようにして当該家庭用薄葉紙Ｐ１がペーパーホルダ本体１に取り付けられることで、第１収納空間部Ｒ１にロールタイプの家庭用薄葉紙Ｐ１が収納された状態となる。また、ペーパーホルダカバー３０２の内側空間の第３接触板部２６３よりも前側の部分により第２収納空間部Ｒ２が構成され、例えば、弾性部２７２による付勢力に抗して前側板部２２に対して第３接触板部２６３を離間させた状態で当該前側板部２２と第３接触板部２６３との間に包装タイプの家庭用薄葉紙Ｐ２が配設されることで、第２収納空間部Ｒ２に包装タイプの家庭用薄葉紙Ｐ２が収納された状態となる。
【００５２】
次に、ペーパーホルダ３００の使用状態について、図８（ａ）〜図８（ｄ）を参照して説明する。
図８（ａ）及び図８（ｂ）は、ペーパーホルダ３００に包装タイプの家庭用薄葉紙Ｐ２が保持された場合の使用状態を説明するための図であり、図８（ｃ）及び図８（ｄ）は、ペーパーホルダ３００にロールタイプの家庭用薄葉紙Ｐ１が保持された場合の使用状態を説明するための図である。なお、図８（ａ）〜図８（ｄ）の各図は、ペーパーホルダ３００の左右方向の略中央部を前後方向に通る直線に沿って切断した状態を示す模式的な断面図である。
【００５３】
＜包装タイプの家庭用薄葉紙の場合＞
例えば、使用開始時等にて、包装フィルムＦの内側にシートＳ２が大量に存し家庭用薄葉紙Ｐ２の前後方向の長さが長い場合、前側板部２２と第３接触板部２６３との間隔が大きくなるように前側板部２２に対して第３接触板部２６３を溝部２１２に沿って後側にスライド移動させ、前側板部２２と第３接触板部２６３との間の第２収納空間部Ｒ２に包装タイプの家庭用薄葉紙Ｐ２を配設する。そして、天面板部２１の挿通孔２１１に軸部１２を挿入するようにしてペーパーホルダ本体１に上側からペーパーホルダカバー３０２が取り付けられる。これにより、当該家庭用薄葉紙Ｐ２がペーパーホルダ３００に保持され、挿通口を通ったシートＳ２が前側板部２２の取出口２２１を介して引き出される（図８（ａ）参照）。
この状態で、第３接触板部２６３が弾性部２７２により前側板部２２の取出口２２１側に付勢されているため、家庭用薄葉紙Ｐ２は包装フィルムＦの挿通口側の面を前側板部２２の後面に接触させるように押圧された状態となる。
【００５４】
その後、包装フィルムＦの内側のシートＳ２が消費されて家庭用薄葉紙Ｐ２の前後方向の長さが短くなっても、第３接触板部２６３が弾性部２７２により前側板部２２の取出口２２１側に付勢されているため、家庭用薄葉紙Ｐ２の前後方向の長さの変動に伴って第３接触板部２６３が前側板部２２の取出口２２１側にスライド移動していき、家庭用薄葉紙Ｐ２は包装フィルムＦの挿通口側の面を前側板部２２の後面に接触させるように常時押圧されている（図８（ｂ）参照）。
【００５５】
＜ロールタイプの家庭用薄葉紙の場合＞
軸部１２にロールタイプの家庭用薄葉紙Ｐ１のロール芯Ｃを外嵌させるようにして当該家庭用薄葉紙Ｐ１がペーパーホルダ本体１に取り付けられ、天面板部２１の挿通孔２１１に軸部１２を挿入するようにしてペーパーホルダ本体１に上側からペーパーホルダカバー３０２が取り付けられる。これにより、第１収納空間部Ｒ１にロールタイプの家庭用薄葉紙Ｐ１が配設され、長尺なシートＳ１の自由端側（先端側）が第３接触板部２６３の第３挿通部２６３ａ及び前側板部２２の取出口２２１を介して引き出される。
このとき、第３接触板部２６３が弾性部２７２により前側板部２２の取出口２２１側に常時付勢されて、前側板部２２との間隔が小さく（後側板部２３との間隔が大きく）なっている。このため、例えば、使用開始時等にてロール芯ＣにシートＳ１が大量に巻かれて家庭用薄葉紙Ｐ１のロール径が大きい場合であっても（図８（ｃ）参照）、ロール芯Ｃに巻かれているシートＳ１が消費されて家庭用薄葉紙Ｐ１のロール径が小さくなった場合であっても（図８（ｄ）参照）、第１収納空間部Ｒ１に収納されたロールタイプの家庭用薄葉紙Ｐ１と第３接触板部２６３とが干渉することがない。
【００５６】
以上のように、実施形態３のペーパーホルダ３００によれば、上記実施形態１と同様に、ロールタイプの家庭用薄葉紙Ｐ１の場合、第３付勢部３２６が邪魔になることなく第３挿通部２６３ａ及び前側板部２２の取出口２２１を介してシートＳ１を引き出すことができ、一方、包装タイプの家庭用薄葉紙Ｐ２の場合、その前後方向の長さに拘わらず第３付勢部３２６により前側板部２２の取出口２２１側に付勢されることとなり、使用者が第３付勢部３２６と前側板部２２の取出口２２１との間隔を手動で調整するという煩雑な作業が必要なくなる。このように、ロールタイプの家庭用薄葉紙Ｐ１を保持可能なペーパーホルダ本体１を包装タイプの家庭用薄葉紙Ｐ２にも対応させることができる。さらに、前側板部２２に対して第３接触板部２６３が進退するようにスライド移動可能に天面板部２１の溝部２１２に取り付けられているので、溝部２１２に沿って第３接触板部２６３がスライド移動することで、家庭用薄葉紙Ｐ２は包装フィルムＦの挿通口側の面を前側板部２２の後面に接触させるように押圧された状態となり、包装タイプの家庭用薄葉紙Ｐ２の前側板部２２の取出口２２１側への付勢を適正に行うことができる。
【００５７】
なお、上記実施形態２、３にあっては、弾性部２７２として、引張りコイルばねを例示したが、一例であってこれに限られるものではなく、適宜任意に変更可能である。例えば、図示は省略するが、一端部が第２接触板部２６２や第３接触板部２６３の後面に固定されるとともに、他端部が後側板部２３の内面に固定された圧縮コイルばねであっても良いし、また、ばねの代わりにゴム等の弾性体を適用しても良い。
【００５８】
なお、本発明は、上記実施形態１〜３に限定されることなく、本発明の趣旨を逸脱しない範囲において、種々の改良並びに設計の変更を行っても良い。
例えば、上記実施形態１〜３における取出口２２１並びに第１〜第３挿通部２６１ａ〜２６３ａの形状は、一例であってこれに限られるものではなく、適宜任意に変更可能である。
【００５９】
また、上記実施形態１〜３にあっては、軸部１２の形状を円柱状としたが、一例であってこれに限られるものではなく、例えば、断面が多角形状の角柱状であっても良い。
さらに、ペーパーホルダカバー２、２０２、３０２の天面板部２１にペーパーホルダ本体１の軸部１２を挿通させる挿通孔２１１を設けるようにしたが、一例であってこれに限られるものではなく、挿通孔２１１を設けるか否かは適宜任意に変更可能である。
【符号の説明】
【００６０】
１００、２００、３００  ペーパーホルダ
１        ペーパーホルダ本体
１１      基台部
１２      軸部
２、２０２、３０２  ペーパーホルダカバー
２１      天面板部
２１１    挿通孔
２１２    溝部
２１２ａ  溝部下側部
２１２ｂ  溝部上側部
２２      前側板部（取出口形成部）
２２１    取出口
２３      後側板部
２４、２５  両側板部
２６      第１付勢部
２２６    第２付勢部
３２６    第３付勢部
２６１    第１接触板部
２６１ａ  第１挿通部
２６２    第２接触板部
２６２ａ  第２挿通部
２６３    第３接触板部
２６３ａ  第３挿通部
２６３ｂ  係止部
２７２    弾性部
Ｒ１      第１収納空間部
Ｒ２      第２収納空間部
Ｐ        家庭用薄葉紙
Ｐ１      ロールタイプの家庭用薄葉紙（第１の家庭用薄葉紙）
Ｃ        ロール芯
Ｐ２      包装タイプの家庭用薄葉紙（第２の家庭用薄葉紙）
Ｆ        包装フィルム
Ｓ１、Ｓ２  シート
【図１】
0006454176.tif 000002
【図２】
0006454176.tif 000003
【図３】
0006454176.tif 000004
【図４】
0006454176.tif 000005
【図５】
0006454176.tif 000006
【図６】
0006454176.tif 000007
【図７】
0006454176.tif 000008
【図８】
0006454176.tif 000009